(57)【特許請求の範囲】
【請求項１】
プリンタ本体に形成されている開口部を開閉するための開閉蓋と、
同一姿勢を保持したまま、前記開閉蓋と共に移動する移動部材とを有し、
前記開閉蓋は、
前記プリンタ本体の本体側軸線を中心として開閉可能な開閉蓋フレームと、
前記開閉蓋フレームを覆っている開閉蓋ケースと、
前記開閉蓋ケースを前記開閉蓋フレームに向けて付勢している付勢部材と、
前記開閉蓋ケースと、前記プリンタ本体あるいは前記開閉蓋フレームとの間を連結している連結アームと、を備え、
前記開閉蓋ケースおよび前記連結アームの一方は、一定幅で一定の長さのスライド溝を備え、
前記開閉蓋ケースおよび前記連結アームの他方は、前記スライド溝に回転可能かつスライド可能な状態で挿入されているスライドピンを備え、
前記連結アームは、前記プリンタ本体あるいは前記開閉フレームに対しては、前記本体側軸線に平行な第１軸線を中心として回転可能な状態で連結されるとともに、前記開閉蓋ケースに対しては、前記スライドピンの中心軸線を中心として回転可能、かつ、前記スライド溝に沿ってスライド可能な状態で連結されており、
前記付勢部材は、前記連結アームを介して、前記開閉蓋ケースを付勢し、
前記開閉蓋ケースは、前記本体側軸線に平行な前記移動部材の部材側軸線を中心として、回転可能な状態で、前記移動部材に取り付けられていることを特徴とするプリンタの開閉蓋構造。
【請求項２】
請求項１に記載のプリンタの開閉蓋構造において、
前側平行リンクと、後側平行リンクと、前記前側平行リンクの先端部および前記後側平行リンクの先端部の間に架け渡した連結フレームとを備えた４節の平行リンク機構を有しており、
前記平行リンク機構によって、前記開閉蓋は、垂直に起立した閉じ位置からプリンタ前方に倒れた開き位置までの間を開閉可能であり、
前記開閉蓋フレームは前記前側平行リンクに取り付けられており、
前記移動部材は前記連結フレームの前端部に取り付けられていることを特徴とするプリンタの開閉蓋構造。
【請求項３】
請求項２に記載のプリンタの開閉蓋構造において、
前記連結フレームは、プラテン面を備えたプラテンフレームであり、
前記移動部材は前記プラテンフレームの前端部に取り付けた排紙ガイドであり、
前記開閉蓋を閉じると、前記プリンタ本体に搭載されている印刷ヘッドに対して、前記プラテン面が対峙し、前記排紙ガイドが印刷後の記録紙をガイド可能な状態が形成されることを特徴とするプリンタの開閉蓋構造。
【請求項４】
請求項１ないし３のいずれか１項に記載のプリンタの開閉蓋構造において、
前記開口部は前記プリンタ本体に形成したロール紙収納部の開口部であることを特徴とするプリンタの開閉蓋構造。
【請求項５】
請求項１ないし４のうちのいずれか１項に記載の開閉蓋構造を有していることを特徴とするプリンタ。
【発明の詳細な説明】
【技術分野】
【０００１】
本発明は、プリンタ本体に形成したロール紙収納部の開口部などを開閉するための開閉蓋構造に関し、さらに詳しくは、排紙ガイドなどの部材が開閉蓋と一緒に開閉する開閉蓋構造の改良に関する。
【背景技術】
【０００２】
レシートなどを発行するロール紙プリンタでは、記録媒体として、長尺状の記録紙をロール状に巻き付けた構成のロール紙が用いられる。ロール紙プリンタに搭載されているロール紙供給機構としては、ロール紙が繰出リールなどの支軸によってその巻き芯を中心として回転自在の状態で支持されておらず、単に、ロール紙収納部の底面に転動可能な状態で置かれる、所謂「投げ込み式」とよばれるものが知られている。投げ込み式の供給機構では、ロール紙交換時などに、繰出リールなどの支軸にロール紙を着脱する操作が不要なので、ロール紙の交換作業などを簡単に行うことができる。
【０００３】
また、投げ込み式のロール紙プリンタでは、一般に、ロール紙収納部の開閉蓋を開けると記録紙搬送路も開放状態に切り替わる構成となっている。ロール紙交換時などにおいては、ロール紙から繰り出した記録紙を紙送りローラ対の間、印刷ヘッドとプラテンの間などを通して排出口から引き出した状態にセットするロール紙セット作業が必要である。開閉蓋と一緒にプラテン、紙送りローラ等も開き、これにより開放状態になった記録紙搬送路に記録紙を引き出した後に開閉蓋を閉めると、記録紙搬送路に記録紙がセットされた状態が自動的に形成される。よって、開閉蓋を開けてロール紙を交換し、ロール紙から記録紙を引き出し、しかる後に開閉蓋を閉じるという操作を行うだけでよいので、ロール紙の交換およびセット作業が簡単である。
【０００４】
記録紙搬送路が開閉蓋を開くと開放状態に切り替わる構成のロール紙プリンタでは、開閉蓋の開閉機構として一般に４節の平行リンク機構が採用されている。開閉蓋を開くと、開閉蓋に、４節の平行リンク機構およびプラテンが折り重なった状態になり、ロール紙収納部を大きく開くことができる。特許文献１、２には、４節の平行リンク機構を用いて開閉蓋と共に記録紙搬送路も開閉する投げ込み式のロール紙供給機構を備えたロール紙プリンタが開示されている。
【特許文献１】特開２００７−２０３５６３号公報
【特許文献２】特開２００７−２０３５６４号公報
【発明の開示】
【発明が解決しようとする課題】
【０００５】
ここで、このようなロール紙プリンタの開閉蓋は、４節の平行リンク機構の前側平行リンクに取り付けた開閉蓋フレームと、この開閉蓋フレームの前側を覆っている開閉蓋ケースから構成されている。また、４節の平行リンク機構の前側平行リンクおよび後側平行リンクを連結している連結リンクがプラテンフレームによって形成されており、このプラテンフレームの前端部には、排出口から印刷済みの記録紙を排出するための排紙ガイドが取り付けられている。開閉蓋を開ける際には、操作者は、開閉蓋のロック機構を外した後に排紙ガイドを持って手前に引く操作を行う。
【０００６】
例えば、プリンタ前面にロール紙収納部の開口部が形成されている場合には、開閉蓋は下端を中心として起立した閉じ位置から前方に倒れた開き位置まで開く。開閉蓋を開くと、開閉蓋は下端を中心として前方に旋回するが、プラテンフレームの前端部に取り付けられている排紙ガイドは、水平の姿勢を保ったまま前方に移動する。排紙ガイドの下側には開閉蓋ケースの上端部が位置している。開閉蓋を開くと、下端を中心として前方に倒れる開閉蓋ケースの上端部が、水平姿勢を保ったまま前方に移動する排紙ガイドの下面から離れて、これらの間に形成されている隙間が広がる。開閉蓋を開くことによって広がった隙間は開閉蓋を閉じる際には狭くなる。このため、開閉蓋の開閉時に、排紙ガイドを持っている指先などが当該隙間に挟まれる可能性があり、好ましくない。
【０００７】
本発明の課題は、この点に鑑みて、同一姿勢を保持したまま開閉蓋の開閉と共に移動する移動部材を備えたプリンタの開閉蓋構造において、移動部材と開閉蓋の開閉蓋ケースとの隙間が、開閉蓋の開閉時に広がることのないようにすることにある。
【課題を解決するための手段】
【０００８】
上記の課題を解決するために、本発明のプリンタの開閉蓋構造は、
プリンタ本体に形成されている開口部を開閉するための開閉蓋と、
同一姿勢を保持したまま、前記開閉蓋と共に移動する移動部材とを有し、
前記開閉蓋は、
前記プリンタ本体の本体側軸線を中心として開閉可能な開閉蓋フレームと、
前記開閉蓋フレームを覆っている開閉蓋ケースと、
前記開閉蓋ケースを前記開閉蓋フレームに向けて付勢している付勢部材と、
前記開閉蓋ケースと、前記プリンタ本体あるいは前記開閉蓋フレームとの間を連結している連結アームと、を備え、
前記開閉蓋ケースおよび前記連結アームの一方は、一定幅で一定の長さのスライド溝を備え、
前記開閉蓋ケースおよび前記連結アームの他方は、前記スライド溝に回転可能かつスライド可能な状態で挿入されているスライドピンを備え、
前記連結アームは、前記プリンタ本体あるいは前記開閉フレームに対しては、前記本体側軸線に平行な第１軸線を中心として回転可能な状態で連結されるとともに、前記開閉蓋ケースに対しては、前記スライドピンの中心軸線を中心として回転可能、かつ、前記スライド溝に沿ってスライド可能な状態で連結されており、
前記付勢部材は、前記連結アームを介して、前記開閉蓋ケースを付勢し、
前記開閉蓋ケースは、前記本体側軸線に平行な前記移動部材の部材側軸線を中心として、回転可能な状態で、前記移動部材に取り付けられていることを特徴としている。
【０００９】
本発明では、開閉蓋ケースを移動部材の側に旋回可能な状態に取り付け、付勢部材によって開閉蓋ケースが開閉蓋フレームから離れないように常に付勢している。開閉蓋ケースの旋回中心が移動部材上に位置しているので、開閉蓋を開閉する際に、同一姿勢を維持したまま移動する移動部材と開閉蓋ケースとの隙間が広がることがない。また、付勢部材によって開閉蓋ケースは常に開閉蓋フレームに付勢されているので、開閉蓋ケースは常に開閉蓋フレームと一体となって開閉する。
【００１０】
ここで、開閉蓋ケースを開閉蓋フレームから離れないように当該開閉フレームと共に一体となって開閉させるためには、連結アームを用いて、前記開閉蓋ケースと前記プリンタ本体あるいは前記開閉蓋フレームとの間を連結し、前記連結アームを、前記プリンタ本体あるいは前記開閉フレームに対しては、前記本体側軸線に平行な第１軸線を中心として回転可能な状態で連結し、前記開閉蓋ケースに対しては、前記部材側軸線に平行な第２軸線を中心として回転可能、かつ、当該軸線に直交する方向に往復移動可能な状態で連結し、前記付勢部材によって、前記連結アームを介して、前記開閉蓋ケースを付勢することが望ましい。
【００１１】
このような連結アームと開閉蓋ケースの連結構造は、前記開閉蓋ケースおよび前記連結アームの一方に、一定幅で一定の長さのスライド溝を形成し、前記開閉蓋ケースおよび前記連結アームの他方に、前記スライド溝に回転可能かつスライド可能な状態で挿入されているスライドピンを配置しておくことにより実現できる。
【００１２】
また、開閉蓋が起立した閉じ位置からプリンタ前方に倒れた開き位置までの間を開閉する場合には、前側平行リンクと、後側平行リンクと、前記前側平行リンクの先端部および前記後側平行リンクの先端部の間に架け渡した連結フレームとを備えた４節の平行リンク機構を配置し、当該平行リンク機構によって、前記開閉蓋を、垂直に起立した閉じ位置からプリンタ前方に倒れた開き位置までの間を開閉させるようにすればよい。この場合には、前記開閉蓋フレームを前記前側平行リンクに取り付けておけばよく、前記移動部材を前記連結フレームの前端部に取り付けておくことができる。
【００１３】
さらに、本発明を投げ込み式のロール紙プリンタに適用する場合には、前記連結フレームを、プラテン面を備えたプラテンフレームとし、前記移動部材を前記プラテンフレームの前端部に取り付けた排紙ガイドとすればよい。このようにすれば、前記開閉蓋を閉じると、前記プラテン面が前記プリンタ本体に搭載されている印刷ヘッドに対峙し、前記排紙ガイドが印刷後の記録紙をガイド可能な状態が形成される。
【００１４】
また、このようなロール紙プリンタにおいてプリンタ本体内にロール紙収納部が設けられている場合には、ロール紙収納部に対してロール紙などの交換を行うための開口部に、本発明の開閉蓋構造を適用することができる。
【発明の効果】
【００１５】
本発明のプリンタの開閉蓋構造においては、開閉蓋の開閉と共に同一姿勢を維持したまま移動する移動部材の側に、開閉蓋の開閉蓋ケースを旋回可能に取り付け、開閉蓋の開閉時には開閉蓋ケースを移動部材側の軸線を中心として旋回させるようにすると共に、付勢部材によって開閉蓋ケースが常に開閉蓋フレームと一体となって開閉するように保持している。したがって、開閉蓋の開閉時に、開閉蓋ケースと移動部材の間に大きな隙間が形成されてしまうことがなく、かかる隙間が開閉蓋の開閉に伴って広がることもない。よって、隙間に指先などが挟まれてしまうことがないので、安全な開閉蓋構造を実現できる。
【発明を実施するための最良の形態】
【００１６】
以下に、図面を参照して、本発明を適用したプリンタの開閉蓋構造の実施の形態を説明する。
【００１７】
（全体構成）
図１は、本実施の形態に係るインクジェット式のロール紙プリンタを示す外観斜視図であり、図２はその開閉蓋を開けた状態の主要部分を示す説明図である。ロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３によって封鎖されている。
【００１８】
蓋開閉レバー６を操作すると開閉蓋３のロックが解除される。ロック解除後、排紙ガイド５を指先などで摘み前方に引くと、図２に示すように、開閉蓋３は、当該開閉蓋３が取り付けられている後述の４節の平行リンク機構７によって、その下端部のプリンタ幅方向に水平に延びる本体側軸線８を中心として前方にほぼ水平となるまで開く。開閉蓋３が開くと、プリンタ本体の内部に形成されているロール紙収納部１１が開放状態となり、同時に、ロール紙収納部１１から記録紙排出口４に到る記録紙搬送経路が開放状態となる。この結果、プリンタ前方からロール紙１２の交換作業などを簡単に行うことができるようになっている。
【００１９】
図３は開閉蓋３が閉じた状態のロール紙プリンタ１の主要部分を示す部分断面図であり、図４は開閉蓋３が開いた状態のロール紙プリンタ１の主要部分を示す部分断面図である。まず、図２および図３を参照して説明すると、ロール紙プリンタ１の内部には、プリンタ本体フレーム１０における幅方向の中央部分にロール紙収納部１１が形成されている。ロール紙収納部１１はロール紙１２がプリンタ幅方向に向いた横置き状態で収納される。
【００２０】
ロール紙収納部１１の上方には、キャリッジガイド軸１３が、プリンタ本体フレーム１０の間にプリンタ幅方向に架け渡されている。キャリッジガイド軸１３に沿って、インクジェットヘッド１４が下向き状態で搭載されているキャリッジ１５がプリンタ幅方向に往復移動可能となっている。キャリッジ１５は、公知のキャリッジ搬送機構、例えば、キャリッジモータおよびタイミングベルトを備えたキャリッジ搬送機構によって、プリンタ幅方向に往復移動される。キャリッジ１５に搭載されているインクジェットヘッド１４にはフレキシブルプリント基板１６が接続されており、ここを介して駆動信号などが供給される。また、フレキシブルプリント基板１６に沿ってインク供給チューブ群１７が引き回されており、これらを介して不図示のインクタンクからインクジェットヘッド１４に各色のインクが供給される。
【００２１】
インクジェットヘッド１４とロール紙収納部１１の間には、プリンタ前後方向に水平に延びるプラテンフレーム１８が配置されている。プラテンフレーム１８の上端には、インクジェットヘッド１４に一定のギャップで対峙しているプラテン面１９が形成されており、このプラテン面１９によってインクジェットヘッド１４の印刷位置が規定されている。
【００２２】
プラテンフレーム１８の後端には、上下に旋回可能な状態でテンションガイド２０が取り付けられている。また、プラテンフレーム１８におけるプラテン面１９の後側には、紙送りローラ２１がプリンタ幅方向に水平に架け渡されている。紙送りローラ２１には記録紙１２ａを介し、上側から紙押えローラ２２が所定の押圧力で押し付けられている。紙送りローラ２１はプリンタ本体フレーム１０に搭載されている不図示の紙送りモータによって駆動される。
【００２３】
ロール紙収納部１１に収納されているロール紙１２から上方に引き出される記録紙１２ａは図２、図３に示すように、テンションガイド２０に架け渡されて前方に屈曲させられた後に、紙送りローラ２１および紙押えローラ２２の間から、インクジェットヘッド１４とプラテン面１９の間を通って、記録紙排出口４から外部に引き出された状態にセットされる。
【００２４】
この状態で、キャリッジ１５を往復移動させながら、そこに搭載されているインクジェットヘッド１４により、ロール紙１２から繰り出されて印刷位置に位置している記録紙１２ａの部分の表面に印刷が行われる。記録紙１２ａの幅方向への一連の行印刷が終了した後は所定ピッチだけ記録紙１２ａが送り出され、次の行の印刷が行われる。このように、記録紙１２ａは、所定ピッチで間欠的に送り出されながらインクジェットヘッド１４によって印刷が施される。印刷後の記録紙１２ａが排出される記録紙排出口４には記録紙切断装置、例えば鋏式の記録紙切断装置（図示せず）が配置されている。記録紙切断装置によって、これらの間に位置する記録紙１２ａが幅方向に切断される。切断後の記録紙片は、記録紙排出口４から排出された後に排紙ガイド５に沿って自重によって所定の場所に向けて落下する。
【００２５】
（開閉蓋構造）
次に、図２、図３および図４を参照して開閉蓋３を開閉するための開閉蓋構造を説明する。開閉蓋３は、板金製の開閉蓋フレーム３１と、この開閉蓋フレーム３１の前面を覆う状態に配置されたプラスチック製の開閉蓋ケース３２とから構成されている。この構成の開閉蓋３は４節の平行リンク機構７によって開閉可能な状態で支持されている。平行リンク機構７は、左右一対の前側平行リンク７１、左右一対の後側平行リンク７２、および、これらの上端部を連結しているプラテンフレーム１８から構成されている。左右の前側平行リンク７１の間にはプリンタ幅方向に前板３１ａが架け渡されている。この前板３１ａの前面に、開閉蓋ケース３２の裏面が当接している。したがって、本例では、開閉蓋フレーム３１は、前板３１ａが一体形成された前側平行リンク７１によって構成されている。
【００２６】
左右の前側平行リンク７１の下端部は、それぞれ、プリンタ本体フレーム１０の底板部分１０ａによって、プリンタ幅方向に延びる水平軸７３（本体側軸線８）を中心に前後に回動自在に支持され、左右の後側平行リンク７２も底板部分１０ａによって、プリンタ幅方向に延びる水平軸７４を中心に前後に回動自在に支持されている。前側平行リング７１の上端部は、プラテンフレーム１８の前端部に対して、プリンタ幅方向に延びる水平軸７５を中心に回動自在に連結されている。後側平行リンク７２の上端部は、プラテンフレーム１８の後端部に対して、プリンタ幅方向に延びる水平軸７６を中心に回動自在に連結されている。
【００２７】
プラテンフレーム１８の前端部には排紙ガイド５（移動部材）が固定されている。開閉蓋３を閉じた状態においては、排紙ガイド５は先端側の部分が開閉蓋３の開閉蓋フレーム３１よりも前方に突出しており、そのガイド面５ａは、記録紙排出口４からプリンタ前方に向けて下方に傾斜した状態となっている。
【００２８】
次に、開閉蓋３の開閉蓋ケース３２は排紙ガイド５の下端部に取り付けられている。すなわち、排紙ガイド５の下端部にはプリンタ幅方向に水平に延びる水平軸３３が取り付けられており、開閉蓋ケース３２の上端部３２ａは、水平軸３３（部材側軸線９）を中心として、プリンタ前後方向に回転可能な状態で取り付けられている。
【００２９】
開閉蓋ケース３２の下端部３２ｂはプリンタ本体１０の底板部分１０ａまで延びており、当該下端部３２ｂは、連結アーム３４を介して、プリンタ本体フレーム１０の底板部分１０ａの前端部１０ｂに連結されている。連結アーム３４の下端部３４ａは、プリンタ本体フレーム１０の前端部１０ｂにおけるプリンタ幅方向の側端面に対して、プリンタ幅方向に延びる支軸３５（第１軸線：図４参照）を中心として前後方向に回転可能に取り付けられている。この支軸３５は、平行リンク機構７の前側平行リング７１の旋回中心である水平軸７３よりも前方に位置している。また、連結アーム３４にはその長さ方向に沿って一定幅および深さのスライド溝３４ｂが形成されている。
【００３０】
一方、開閉蓋ケース３２の下端部３２ｂにおけるプリンタ幅方向の側端面には、プリンタ幅方向に突出したスライドピン３６が固定されている。このスライドピン３６は、連結アーム３４のスライド溝３４ｂにプリンタ幅方向から差し込まれており、当該スライド溝３４ｂに沿ってスライド可能であると共に、当該スライドピン３６の中心軸線（第２軸線）回りに回転可能となっている。
【００３１】
また、連結アーム３４の旋回中心を規定しているプリンタ本体フレーム１０の側の支軸３５には捻りコイルばね３７が取り付けられている。この捻りコイルばね３７（付勢部材）によって、連結アーム３４には、プリンタ前方に倒れる方向とは逆向きの付勢力が常に作用している。
【００３２】
（開閉蓋構造の動作）
開閉蓋３が起立状態の閉じ位置３Ａの状態（図３参照）では、開閉蓋ケース３２の側のスライドピン３６が連結アーム３４のスライド溝３４ｂの下端に位置している。連結アーム３４は、捻りコイルばね３７による付勢力によって垂直に起立した姿勢に保持されている。開閉蓋３のロックを解除して排紙ガイド５を持って手前に引くと、開閉蓋３の開閉蓋フレーム３１はその下端部の水平軸７３を中心として前方に倒れる。また、開閉蓋３の上端に配置されている排紙ガイド５は、４節の平行リンク機構７によってプラテンフレーム１８と共に同一姿勢を保持したまま前方に移動する。
【００３３】
開閉蓋３の開閉蓋フレーム３１は水平軸７３を中心として４節の平行リンク機構７の前側平行リンク７１と共に前方に旋回する。これに対して、開閉蓋ケース３２は、その上端部３２ａが排紙ガイド５の側の水平軸３３を中心として前後に回転可能な状態で排紙ガイド５に取り付けられているので、排紙ガイド５と共に前方に移動する。このため、開閉蓋３を開ける際には、開閉蓋ケース３２は開閉蓋フレーム３１に対して相対的に上方にスライドしながら移動する。これに伴って、開閉蓋ケース３２の下端部３２ｂに固定したスライドピン３６は、連結アーム３４のスライド溝３４ｂに沿って上方にスライドする。また、連結アーム３４は捻りコイルばね３７によって後方に常に付勢されているので、開閉蓋ケース３２の下端部３２ｂは、連結アーム３４および捻りコイルばね３７によって、常に開閉蓋フレーム３１の側に押し付けられた状態に維持される。よって、開閉蓋ケース３２は開閉蓋フレーム３１から離れることなく移動して、図４に示す開き位置３Ｂの状態になる。
【００３４】
（開閉蓋構造の効果）
以上説明したように、本例のロール紙プリンタ１の開閉蓋構造では、開閉蓋ケース３２の上端部３２ａは排紙ガイド５に連結されており、当該排紙ガイド５と一緒に移動するので、開閉蓋３を開閉する際に、開閉蓋ケース３２の上端部３２ｂと排紙ガイド５の下端部の隙間が広がることがない。したがって、開閉蓋３を開閉する際に排紙ガイド５を掴んでいる指先などが隙間に挟まれるなどのおそれがない。
【００３５】
また、従来のように、開閉蓋ケース３２が開閉蓋フレーム３１と一体となって同一の水平軸７３を中心として前方に開く場合に比べて、本例では、開閉蓋ケース３２は同一姿勢を維持したまま前方に移動する排紙ガイド５から吊り下げられた状態で開閉蓋フレーム３１に押し付けられているので、開閉蓋３の開閉に必要なスペースが少なくて済む。
【００３６】
さらに、本例では、４節の平行リンク機構７によってプラテンフレーム１８および排紙ガイド５を水平に保持したまま開閉蓋３と共に開くようにしている。したがって、開閉蓋３を開いた状態において、ロール紙収納部１１の開口部２ｂを広くとることができ、ロール紙１２の交換作業などが容易になる。
【００３７】
なお、上記の例はインクジェット式のロール紙プリンタに本発明を適用したものであるが、本発明はサーマルヘッドなどの別の形式の印刷ヘッドを備えたプリンタにも適用可能である。
【００３８】
また、上記の例では、連結アーム３４の一端をプリンタ本体フレーム１０の側に連結しているが、開閉蓋フレーム３１の側に連結しておいてもよい。
【００３９】
さらに、上記の例では、連結アーム３４をプリンタフレーム本体１０の側に回転可能に取り付け、開閉蓋ケース３２の側にスライドピン３６を取り付けてあるが、スライドピン３６をプリンタ本体フレーム１０あるいは開閉蓋フレーム３１の側に取り付け、連結アーム３４を開閉蓋ケース３２の側に取り付けることも可能である。
【００４０】
さらには、開閉蓋ケース３２を開閉蓋フレーム３１に押し付けている付勢部材として捻りコイルばね３７を用いているが、これ以外の付勢部材を用いることも勿論可能である。
【図面の簡単な説明】
【００４１】
【図１】本発明を適用したロール紙プリンタの外観斜視図である。
【図２】ロール紙プリンタの開閉蓋を開けた状態を示す説明図である。
【図３】開閉蓋を閉じた状態のロール紙プリンタの主要部分を示す部分断面図である。
【図４】開閉蓋を開けた状態のロール紙プリンタの主要部分を示す部分断面図である。
【符号の説明】
【００４２】
１  ロール紙プリンタ、２  プリンタ本体、３  開閉蓋、３Ａ  閉じ位置、３Ｂ  開き位置、４  記録紙排出口、５  排紙ガイド、５ａ  ガイド面、６  蓋開閉レバー、７  平行リンク機構、８  本体側軸線、９  部材側軸線、１０  プリンタ本体フレーム、１０ａ  底板部分、１０ｂ  前端部、１１  ロール紙収納部、１２  ロール紙、１２ａ  記録紙、１３  キャリッジガイド軸、１４  インクジェットヘッド、１５  キャリッジ、１６  フレキシブルプリント基板、１７  インク供給チューブ群、１８  プラテンフレーム、１９  プラテン面、２０  テンションガイド、２１  紙送りローラ、２２  紙押さえローラ、３１  開閉蓋フレーム、３１ａ  前板、３２  開閉蓋ケース、３２ａ  上端部、３２ｂ  下端部、３３  水平軸、３４  連結アーム、３４ａ  下端部、３４ｂ  スライド溝、３５  支軸、３６  スライドピン、３７  捻りコイルばね、７１  前側平行リンク、７２  後側平行リンク、７３，７４，７５，７６  水平軸
【図１】
0005200567.tif 000002
【図２】
0005200567.tif 000003
【図３】
0005200567.tif 000004
【図４】
0005200567.tif 000005